(57)【要約】      （修正有）【課題】患者を隔離するために、患者の頭部をシェルカバーで覆い、シェルカバー内の患者の息や飛沫を排気装置で吸い込んで、濾過器を通して濾過し、最後に、排気装置の排出側から濾過した空気を排出する負圧式防護システムを提供する。【解決手段】負圧式防護システムであって、シェルカバー１０と、排気パイプ２０と、濾過器３０と、排気装置４０とを備え、シェルカバーは、その内部に該シェルカバーにより囲まれるように形成される内部空間を有すると共に、該シェルカバーを貫通する排気流入口１１及び排気流出口１２を含み、排気パイプは、管体であって、一端がシェルカバーの排気流出口と流体連通し、濾過器が、入口端３１と出口端３２を有し、該入口端が排気パイプの他端に連結され、排気装置は、一端が濾過器の出口端に連結され、内部空間の空気を、排気パイプを通して該濾過器に吸引導入して浄化し、その後、該排気装置の他端から排出する。【選択図】図２
0003231052.tif 000002
【実用新案登録請求の範囲】
【請求項１】
負圧式防護システムであって、シェルカバーと、排気パイプと、濾過器と、排気装置とを備え、
前記シェルカバーは、その内部に該シェルカバーにより囲まれるように形成される内部空間を有すると共に、該シェルカバーを貫通する排気流入口及び排気流出口を含み、
前記排気パイプは、管体であって、一端が前記シェルカバーの排気流出口と流体連通し、
前記濾過器が、入口端と出口端を有し、該入口端が前記排気パイプの他端に連結され、
前記排気装置は、一端が前記濾過器の出口端に連結され、前記内部空間の空気を、前記排気パイプを通して該濾過器に吸引導入して浄化し、その後、該排気装置の他端から排出することを特徴とする負圧式防護システム。
【請求項２】
前記負圧式防護システムは、下敷きシートをさらに備え、該下敷きシートは、シート体であって、片側が、前記シェルカバーの排気流入口の配置位置に、該シェルカバーと取り外し可能に組み立てられることを特徴とする請求項１に記載の負圧式防護システム。
【請求項３】
前記シェルカバーには第１結合部が固設され、前記下敷きシートには第２結合部が固設され、該第１結合部と第２結合部が着脱可能に結合されることを特徴とする請求項２に記載の負圧式防護システム。
【請求項４】
前記第１結合部と第２結合部は、互いに着脱自在なスナップ留め具であることを特徴とする請求項３に記載の負圧式防護システム。
【請求項５】
前記下敷きシートは、シリコン素材を含むことを特徴とする請求項４に記載の負圧式防護システム。
【請求項６】
前記シェルカバーは、弧状チャンバー構造体であって、その外側面における前記排気流出口の配置位置に、連結部材が固設され、該連結部材は、管体であって、該排気流出口と流体連通し、前記排気パイプの一端が、該連結部材と連結されることを特徴とする請求項１から請求項５のいずれか一項に記載の負圧式防護システム。
【請求項７】
前記連結部材の断面積が、前記シェルカバーに連接される一端から他端に向かって徐々に小さくなることを特徴とする請求項６に記載の負圧式防護システム。
【考案の詳細な説明】
【技術分野】
【０００１】
本考案は、感染対策用防護システムに関し、特に、シェルカバー付きの負圧式防護システムに関するものである。
【背景技術】
【０００２】
現在の医療機関の感染対策用隔離設備・用具として、陰圧隔離病室やフェイスマスクなどが一般的によく利用されている。図３に示すように、陰圧隔離病室９０は主に、独立した空調設備９１を備える空間として設計される。陰圧隔離病室９０内の空気は、空調設備９１により吸い込まれ、通気ダクトを通して、濾過装置に送られて濾過され、最後に、排気口から外部に排出し、一方で、外気が、ドアの隙間９２や天井の空気導入口９３を通して、陰圧隔離病室９０に流入して循環する。これにより、患者からの感染性飛沫９４が、空気を介して他の空間に広がることを防止する。しかしながら、上述した陰圧隔離病室９０のシステム全体は、医療施設内に設置されているため、移動することができず、かつ患者の活動範囲が病室内にのみ限られている。また、陰圧隔離病室９０は通常、既設病室をもとに改装されたものであるため、空気の流れが最初から考えられていなかったので、換気効果が不十分な懸念が残されている。例えば、外気が陰圧隔離病室９０に入るとすぐに、天井に沿って、または最短経路を通って空調設備９１の排気口から排出されてしまい、それに伴い、ベッド上の患者の飛沫９４は、陰圧隔離病室９０の循環気流に便乗することが難しく、ベッドの周りに溜まってしまうことになりやすいので、全体としては、無効な排気になってしまう結末であった。
【０００３】
フェイスマスクという感染対策用隔離用具は、利用者の顔面に装着し、鼻口を覆うカバーであって、構造が簡単でかつ便利に着用することを特徴としており、また、利用者の活動範囲を制限することのない利点があるが、フェイスマスクは着用後、顔の周りに隙間ができ、利用者の息が漏れる可能性があることから、呼吸器感染症のない患者や治療者のみに適用し、呼吸器感染症に罹患している患者には適用しない。また、呼吸器感染症患者の周囲に、隔離パーテーションが設置される場合、囲まれている空間内の空気が、患者の咳や息に伴って飛散して、周りの人々に伝染するリスクが高まる可能性があり、さらに、既存の隔離パーテーションは、硬質な間仕切り枠で患者を取り囲んでいるため、若し、患者が人工呼吸器などの治療機器で治療されている場合、治療機器のパイプの配管経路の邪魔になりやすい。例えば、パイプが折れ曲がった場合、パイプ内の流体の流れに影響を与え、次第に人工呼吸器などの治療機器の治療効果に影響を及ぼす、従って、従来技術における感染対策用隔離設備の全体構成に対しては、改良する余地があった。
【考案の概要】
【考案が解決しようとする課題】
【０００４】
本考案は、前記従来技術の欠点に鑑みてなされたものであり、患者を隔離するために、患者の頭部をシェルカバーで覆い、シェルカバー内の患者の息や飛沫を排気装置で吸い込んで、濾過器を通して濾過し、最後に、排気装置の排出側から濾過した空気を排出する負圧式防護システムを提供することを目的としている。
【課題を解決するための手段】
【０００５】
上記目的を達成するために、本考案は、負圧式防護システムであって、シェルカバーと、排気パイプと、濾過器と、排気装置とを備え、前記シェルカバーは、囲繞するように内部空間を形成すると共に、該シェルカバーを貫通する排気流入口及び排気流出口を含み、前記排気パイプは、管体であって、一端が前記シェルカバーの排気流出口と流体連通し、前記濾過器が、入口端と出口端を有し、該入口端が前記排気パイプの他端に連結され、前記排気装置は、一端が前記濾過器の出口端に連結されると共に、前記内部空間の空気を、前記排気パイプを通して該濾過器に吸引導入して浄化し、その後、該排気装置の他端から排出することを特徴とする。
【０００６】
前記負圧式防護システムは、下敷きシートをさらに備え、該下敷きシートは、シート体であって、片側が、前記シェルカバーの排気流入口の配置位置に、該シェルカバーと取り外し可能に組み立てられることを特徴とする。
【０００７】
前記シェルカバーには第１結合部が固設され、前記下敷きシートには第２結合部が固設され、該第１結合部と第２結合部が着脱可能に結合されることを特徴とする。
【０００８】
前記第１結合部と第２結合部は、互いに着脱自在なスナップ留め具であることを特徴とする。
【０００９】
前記下敷きシートは、シリコン素材を含む材料からなることを特徴とする。
【００１０】
前記シェルカバーは、弧状チャンバー構造体であって、その外側面における前記排気流出口の配置位置に、連結部材が固設され、該連結部材は、管体であって、該排気流出口と流体連通し、前記排気パイプの一端が、該連結部材と連結されることを特徴とする。
【００１１】
前記連結部材の断面積が、前記シェルカバーに連接される一端から他端に向かって徐々に小さくなることを特徴とする。
【考案の効果】
【００１２】
本考案に係る負圧式防護システムによれば、シェルカバーの内部空間の空気、及び患者の息と飛沫を、排気装置を介して、一方向の空気流で、連結部材及び排気パイプに通過させて濾過器に流れ込ませ、その後、濾過器を通して空気中の菌やウィルスを浄化・分離してから、排気装置の排出側から排出することで、患者を隔離すると共に、空気を浄化する目的を達成する。
【図面の簡単な説明】
【００１３】
【図１】本考案の斜視図である。
【図２】本考案の使用状態を示す模式図である。
【図３】従来技術の陰圧隔離病室を示す模式図である。
【考案を実施するための形態】
【００１４】
以下、図面に合わせて本考案の好適な実施例を説明し、本考案が予定の創作目的を達成するために取られた技術的手段をさらに述べる。
【００１５】
図１に示すように、本考案に係る負圧式防護システムは、シェルカバー１０と、排気パイプ２０と、濾過器３０と、排気装置４０と、下敷きシート５０とを備える。
【００１６】
図１及び図２に示すように、前記シェルカバー１０は、その内部に該シェルカバー１０により囲まれるように形成される内部空間を有すると共に、該シェルカバー１０を貫通する排気流入口１１及び排気流出口１２を含む。本実施例において、前記シェルカバー１０は、１／４球形に相当する硬質の弧状中空殻体であり、前記排気流入口１１と排気流出口１２が、該シェルカバー１０の外側面に相対するように配置され、該排気流入口１１の断面積が該排気流出口１２の断面積よりも大きく、該排気流出口１２が、該シェルカバー１０のほぼ中央に配置され、排気流出口１２の外側面に、連結部材１３が固設され、該連結部材１３は管体であって、該排気流出口１２と流体連通し、該連結部材１３の断面積は、該シェルカバー１０に連接される一端から他端に向かって徐々に小さくなり、該シェルカバー１０は、任意の平面に取り付け可能な下周縁部１４を有する。ここで、前記シェルカバー１０の形状は、上記に限定されるものではなく、患者の頭部を覆うことができれば、適宜変更することができ、例えば、直方体であってもよく、その長手方向長さは、人体の上半身（特に頭部）を覆える長さであればよい。また、前記排気流入口１１のところに、布帛などのような遮断部材が取り付けられてもよく、隠蔽性を付与し、かつ感染性飛沫の拡散防止に多少の遮断効果をもたらす。さらに、該シェルカバー１０と連結部材１３とが一体成型されてもよい。
【００１７】
前記排気パイプ２０は、中空管体であって、その一端が、前記排気流出口１２と流体連通するように前記シェルカバー１０の連結部材１３に連結される。本実施例において、前記排気パイプ２０が、前記シェルカバー１０内の空気を排気流出口１２及び連結部材１３を通して導出するために用いられる。
【００１８】
前記濾過器３０は、入口端３１と出口端３２を有し、該入口端３１が前記排気パイプ２０における前記連結部材１３と連結される一端の反対端に連結される。本実施例において、前記濾過器３０は、空気中の菌やウィルスを濾過・浄化する装置であり、菌やウィルスを含む空気が、前記入口端３１から入って濾過された後、前記出口端３２から排出される。尚、前記濾過器３０は、既存のものであるので、その構造についてここでは詳述しない。
【００１９】
前記排気装置４０は、一端が前記濾過器３０の出口端３２に連結され、前記シェルカバー１０の内部空間の空気を、前記排気パイプ２０を通して前記濾過器３０に吸引導入して浄化し、その後、該排気装置４０の他端から排出するものである。尚、前記排気装置４０は、既存のものであるので、その構造についてここでは詳述しない。
【００２０】
前記下敷きシート５０は、人体のからだのサイズに合った、シリコン素材を含む軟質敷物であるが、これに限定されるものではなく、軟質的な敷くものであればよく、前記シェルカバー１０の寸法は、該下敷きシート５０の幅に等しいまたはそれより小さく設定されており、前記下敷きシート５０の片側が、前記シェルカバー１０の排気流入口１１の配置位置に取り付けられ、詳しく述べると、該シェルカバー１０の下周縁部１４に、第１結合部１４１が固設され、これに対して、該下敷きシート５０の片側の周縁に、該第１結合部１４１と着脱可能な第２結合部５１が固設される。本実施例においては、前記第１結合部１４１と第２結合部５１が、互いに着脱自在なスナップ留め具であるが、これに限定されるものではなく、ジッパーや面ファスナーなどの密着効果が得られる留め手段であれば良い。
【００２１】
図２に示すように、本考案は使用時には、まず、前記シェルカバー１０の下周縁部１４を前記下敷きシート５０に組み付け、前記排気パイプ２０の一端を該シェルカバー１０上の連結部材１３に連結して、他端を前記濾過器３０の一端に連結し、前記排気装置４０の一端を該濾過器３０の他端に連結する。呼吸器感染症に罹患している患者は、頭部が前記シェルカバー１０内に位置するように、前記下敷きシート５０に横たわり、前記排気装置４０を始動すると、該シェルカバー１０内の気圧が、大気圧よりも低く減圧した状態となり、該シェルカバー１０の内部空間の空気、及び患者の呼吸気と飛沫は、該排気装置４０を介して、一方向の空気流で、前記連結部材１３及び排気パイプ２０を通して前記濾過器３０に流れ込み、その後、該濾過器３０を通して空気中の菌やウィルスを浄化・分離してから、該排気装置４０の排出側から排出され、これにより、患者を隔離すると共に、空気を浄化する目的を達成する。
【００２２】
上述した使用状態において、前記下敷きシート５０が軟質素材で、前記シェルカバー１０が硬質素材で形成されたことから、該シェルカバー１０と下敷きシート５０とを組み合わせることにより、気密効果をもたらし、菌やウィルスを隙間から逃がすことを防ぎ、それに伴い、前記排気装置４０が作動する際に、該シェルカバー１０内に、一方向の空気流が形成され、周囲の空気が排気流出口１２に向かって、定常的に流れていることで、騒音を低減することができる。
【００２３】
上述した使用状態において、前記シェルカバー１０が、患者から一定の距離に保たれており、かつ取り外し可能な設計により、患者が起き上ったりする際の邪魔にならず、また、横たわっている時に、ムレ感や圧迫感を感じさせないことから、一定程度の快適性と安全性を確保でき、さらに、該シェルカバー１０及び下敷きシート５０は、別々に取り外して洗浄することができるので、衛生性も維持できる。
【００２４】
尚、本考案の好適な実施例において、前記シェルカバー１０上の排気流出口１２の数は一つに限らず、一つ以上であってもよく、これに対して、本考案に係る負圧式防護システムは、複数の濾過器３０、及び複数の排気装置４０を備えてもよく、その結果、該シェルカバー１０の内部空間の空気、及び患者の息と飛沫をより素早く効率的に排出することができる。
【００２５】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２６】
１０    シェルカバー
１１    排気流入口
１２    排気流出口
１３    連結部材
１４    下周縁部
１４１  第１結合部
２０    排気パイプ
３０    濾過器
３１    入口端
３２    出口端
４０    排気装置
５０    下敷きシート
５１    第２結合部
９０    陰圧隔離病室
９１    空調設備
９２    ドアの隙間
９３    天井の空気導入口
９４    飛沫
【図１】
0003231052.tif 000003
【図２】
0003231052.tif 000004
【図３】
0003231052.tif 000005